(57)【要約】【課題】不発光撮影モードと発光撮影モードとの切換えの際に、観察光量及び撮影光量の調整を容易に実施する。【解決手段】蛍光剤の静注直後のＳ１において、不発光撮影か発光撮影かを判別する。不発光撮影であればＳ２で撮影用バリアフィルタの判別を行う。フィルタが挿入されていればＳ３で増幅率の判定を行い、１５ｄＢよりも低ければＳ４で不発光撮影と判別される。増幅率が大きければＳ５で発光撮影と判別され、Ｓ６で印加電圧及び増幅率を初期設定し、発光撮影での操作性を改善する。Ｓ１で発光撮影であれば、Ｓ７でフィルタの判別を行い、挿入されていればＳ８で印加電圧の判定を行う。１００Ｖよりも低ければＳ９で不発光撮影と判別され、Ｓ１０で観察初期データに設定し、不発光撮影での操作性を改善する。フィルタが挿入されていなかったり、印加電圧が大きい場合には、Ｓ１１で発光撮影と判別される。【選択図】  図５
2007117249.tif 000002
【特許請求の範囲】
【請求項１】
観察用光源と撮影用光源とを備え被検眼を照明する照明光学系と、被検眼を観察する観察光学系と、被検眼を撮影する撮影光学系と、前記観察光学系及び前記撮影光学系に設けた撮像手段と、前記観察用光源による観察光量を設定する観察光量入力手段と、該観察光量入力手段に接続し前記観察用光源の光量調整を行う観察光量制御手段と、前記撮影用光源による撮影光量を設定する撮影光量入力手段と、該撮影光量入力手段に接続した前記撮影用光源の光量調整を行う撮影光量制御手段と、前記観察用光源を用いて撮影を行う不発光撮影動作手段と、前記撮影用光源を用いて撮影を行う発光撮影動作手段の切換えを行う撮影動作切換手段とを有する眼科撮影装置において、前記撮影動作切換手段によって、前記不発光撮影動作手段と前記発光撮影動作手段の切換えを行う際に、前記観察光量制御手段又は前記撮影光量制御手段によって光量制御の初期設定を行うことを特徴とした眼科撮影装置。
【請求項２】
前記撮像手段で撮像した画像の増幅率を変更する増幅率変更手段を設け、該増幅率変更手段は前記観察光量入力手段及び前記撮影光量入力手段により変更し、前記増幅率は前記光量制御の初期設定に含むことを特徴とする請求項１に記載の眼科撮影装置。
【請求項３】
前記撮影動作切換手段は、前記観察光量入力手段の状態と前記撮影光量入力手段の状態とによって切換えを行うことを特徴とする請求項１又は２に記載の眼科撮影装置。
【請求項４】
前記照明光学系及び前記撮影光学系内に蛍光用フィルタを挿入可能としたことを特徴とする請求項１〜３の何れか１つの請求項に記載の眼科撮影装置。
【請求項５】
前記照明光学系及び前記撮影光学系内に前記蛍光用フィルタを挿入しない場合には、代りに光路長補正ガラスを挿入することを特徴とする請求項１〜４の何れか１つの請求項に記載の眼科撮影装置。
【発明の詳細な説明】
【技術分野】
【０００１】
本発明は、例えば眼科医院等で用いられる蛍光撮影が可能な眼底カメラ等の眼科撮影装置に関するものである。
【背景技術】
【０００２】
従来、特許文献１に示すように、蛍光撮影開始後に蛍光量が時間と共に減少しても、この減少に拘らず撮影光量を適正露光量に簡易に調整することができる眼科装置が知られている。この特許文献１においては、撮影前のハロゲンランプ等の観察照明光による焦点合わせや位置合わせを行う際に、観察照明光の光量調整を行うことに着目して、この光量調整に連繋して撮影光量を自動的に適正に調整させるようにすることが提案されている。
【０００３】
また、一般に観察照明光を用いて位置合わせや観察を行い、キセノン管等の閃光光源を用いて撮影を行う眼科撮影装置も知られているが、近年ではレーザー光源やハロゲンランプ等の連続光源を用いて、観察と撮影の両方を行う眼科装置が提案されている。
【０００４】
更には、蛍光撮影のように適正露光量の変化が著しい撮影を行う場合には、撮影光源を使用して撮影を行う発光撮影モードと、撮影光源を使用せずに連続光源での撮影を行う不発光撮影モードとの切換えによって撮影する眼科撮影装置も提案されている。
【０００５】
【特許文献１】特許第２８０８０００号公報
【発明の開示】
【発明が解決しようとする課題】
【０００６】
上述の特許文献１に開示されている従来例においては、観察照明光量の調整に伴って、常に所定の増減比率で撮影光量が増減するようになっている。従って、撮影前のハロゲンランプ等の観察照明光による焦点合わせや位置合わせを行った後に、撮影を行う場合には有効である。しかし、焦点合わせや位置合わせの完了後に、観察照明光の光量調整操作を行うと、検者の意図しないうちに撮影光量が変化してしまうという問題がある。
【０００７】
特に、撮影光源を使用する発光撮影モードと、撮影光源を使用せずに観察照明光により撮影を行う不発光撮影モードとを切換えて使用する装置においては、発光撮影モード時に上述と同様に観察照明光量の調整を行うと、撮影光量が増減してしまう。また、不発光撮影モード時に使用しない撮影光源に対しても、撮影光量の増減を行ってしまうという問題がある。
【０００８】
また、特許文献１による従来例を用いない場合には、不発光撮影モードから発光撮影モードに切換えを行った際に、撮影光量の調整を繁雑に行わなければならないという問題がある。
【０００９】
本発明の目的は、上述の課題を解消し、不発光撮影モードと発光撮影モードとの切換えの際に、違和感なく、観察光量及び撮影光量の調整が容易に実施できる眼科撮影装置を提供することにある。
【課題を解決するための手段】
【００１０】
上記目的を達成するための本発明に係る眼科撮影装置の技術的特徴は、観察用光源と撮影用光源とを備え被検眼を照明する照明光学系と、被検眼を観察する観察光学系と、被検眼を撮影する撮影光学系と、前記観察光学系及び前記撮影光学系に設けた撮像手段と、前記観察用光源による観察光量を設定する観察光量入力手段と、該観察光量入力手段に接続し前記観察用光源の光量調整を行う観察光量制御手段と、前記撮影用光源による撮影光量を設定する撮影光量入力手段と、該撮影光量入力手段に接続した前記撮影用光源の光量調整を行う撮影光量制御手段と、前記観察用光源を用いて撮影を行う不発光撮影動作手段と、前記撮影用光源を用いて撮影を行う発光撮影動作手段の切換えを行う撮影動作切換手段とを有する眼科撮影装置において、前記撮影動作切換手段によって、前記不発光撮影動作手段と前記発光撮影動作手段の切換えを行う際に、前記観察光量制御手段又は前記撮影光量制御手段によって光量制御の初期設定を行うことにある。
【発明の効果】
【００１１】
本発明に係る眼科撮影装置によれば、撮影光量の初期設定を行い観察照明光量の調整に応じて撮影光量が増減することがないので、撮影光量の調整が簡単で操作感覚に違和感がない。また、撮影光源を使用せず主として観察照明光量の調整を行う不発光撮影モード時にも、観察照明光量の初期設定を行うようになっているので、観察照明光量の調整が容易に実施できる。
【発明を実施するための最良の形態】
【００１２】
本発明を図示の実施例に基づいて詳細に説明する。
【実施例１】
【００１３】
図１は本実施例における眼底カメラの構成図を示している。ハロゲンランプから成る観察用光源１から被検眼Ｅに対向して配置されている対物レンズ２に至る眼底照明光学系が設けられている。この眼底照明光学系には、順次に、コンデンサレンズ３、ストロボ管から成る撮影用光源４、ミラー５、リング状開口を有する絞り６、ＩＣＧエキサイタフィルタ７ａ、レンズ８、孔あきミラー９が配列されている。また、近赤外蛍光撮影時に光路に挿入されるＩＣＧエキサイタフィルタ７ａの代りに、フィルタ７ａと同じ厚さを有し、カラー撮影時に光路に挿入される光路長補正ガラス７ｂ、可視蛍光撮影時に挿入される可視蛍光エキサイタフィルタ７ｃが設けられている。これらのフィルタ７ａ、７ｃ、ガラス７ｂは近赤外蛍光撮影、カラー撮影、可視蛍光撮影に応じて、光路内に挿入されるようになっている。
【００１４】
孔あきミラー９の後方の光路上には、可視蛍光バリアフィルタ１０ａ、撮影レンズ１１、結像レンズ１２、クイックリターンミラー１３、可視領域に感度を有する撮像素子１４を内蔵したカメラマウント１５が順次に配置され、眼底撮影光学系が構成されている。
【００１５】
また、可視蛍光バリアフィルタ１０ａの代りに、このバリアフィルタ１０ａと同じ厚さを有するカラー撮影及びＩＣＧ撮影時に使用する光路長補正ガラス１０ｂを挿脱することができるようになっている。
【００１６】
また、クイックリターンミラー１３の反射方向には、ミラー１６、フィールドレンズ１７、ＩＣＧ撮影用バリアフィルタ１８ａ、フォーカスレンズ１９、近赤外に感度を有する撮像素子２０が順次に配列され、眼底観察撮影光学系が構成されている。なお、ＩＣＧ撮影用バリアフィルタ１８ａの代りにＩＣＧ観察用バリアフィルタ１８ｂを挿入することが可能とされている。このＩＣＧ観察用バリアフィルタ１８ｂはＩＣＧ観察時に挿入され、透過波長領域がＩＣＧ撮影用バリアフィルタ１８ａよりも若干広帯域になっている。更に、ＩＣＧ撮影用バリアフィルタ１８ａ、ＩＣＧ観察用バリアフィルタ１８ｂの何れかが光路内にあるかを検出するバリアフィルタ検知手段２１が設けられている。
【００１７】
撮像素子１４、２０は増幅率変更手段３１に接続され、この増幅率変更手段３１は制御部３２、画像を表示するモニタ３３、メモリ３４に接続されている。
【００１８】
更に、制御部３２には、観察用光源１の光量や撮像素子１４の増幅率を設定する観察光量入力部３５、撮影用光源４の光量及び撮像素子１４の増幅率を設定する撮影光量入力部３６、撮影スイッチ３７が接続されている。更に、制御部３２には観察光源調光手段３８、撮影光源調光手段３９はそれぞれ接続されており、観察光源調光手段３８は観察用光源１に接続され、撮影光源調光手段３９は撮影用光源４に接続されている。
【００１９】
クイックリターンミラー１３が跳ね上がり、光路から離脱すると、可視領域に感度を有する撮像素子１４による可視用眼底撮影光学系が構成される。また、クイックリターンミラー１３が光路上に挿入されると、近赤外に感度を有する撮像素子２０による近赤外用眼底観察撮影光学系が構成される。
【００２０】
撮像素子１４、２０の画像出力信号は増幅率変更手段３１に入力され、増幅率変更手段３１で制御部３２からの指示に従って画像出力信号に増幅処理が行われ、モニタ３３に表示を行うと共に、メモリ３４に画像を記憶させる。
【００２１】
図２はブロック回路構成図を示し、制御部３２内には観察光量制御部３２ａが設けられている。観察光量制御部３２ａには、不発光撮影モードでの観察用光源１の光量及び増幅率を記憶する観察初期データ記憶手段３２ｂ、不発光撮影モードか発光撮影モードかの判断を行う撮影動作判別部３２ｃ、撮影光量制御部３２ｄが接続されている。撮影光量制御部３２ｄには、発光撮影モードでも撮影用光源４の光量及び増幅率を記憶する撮影初期データ記憶手段３２ｅが接続されている。
【００２２】
また、制御部３２の外部に設けた観察光源調光手段３８、観察光量入力部３５が観察光量制御部３２ａに接続されている。観察光量入力部３５には、左右２つのスイッチ３５ａ、３５ｂ、観察光量表示ＬＥＤ３５ｃが設けられている。
【００２３】
更に、増幅率変更手段３１の出力は観察光量制御部３２ａ、撮影光量制御部３２ｄに接続されている。フィルタ検知手段２１の出力は制御部動作判別部３２ｃに接続され、撮影光源調光手段３９の出力、撮影光量入力部３６の出力が撮影光量制御部３２ｄに接続されている。撮影光量入力部３６には、上下２つのスイッチ３６ａ、３６ｂ、撮影光量表示ＬＥＤ３６ｃが設けられている。
【００２４】
撮影光量入力部３６により撮影用光源４の光量及び増幅率を調整する場合には、スイッチ３６ａ、３６ｂを操作すると、撮影光量表示ＬＥＤ３６ｃはＦ１〜Ｆ８まで段階的に変化し表示される。この撮影光量入力部３６による設定値は、撮影光量制御部３２ｄによって検知される。撮影光量制御部３２ｄは次の表１に従って、撮影光源調光手段３９のコンデンサの充電電圧及び増幅率変更手段３１の増幅率を設定する。
【００２５】
表１
撮影光量入力部３６      コンデンサへの      増幅率変更手段３１
の設定値              印加電圧              の増幅率
Ｆ１                  ５３Ｖ                ０ｄＢ
Ｆ２                  ７５Ｖ                ０ｄＢ
Ｆ３                １０６Ｖ                ０ｄＢ
Ｆ４                １５０Ｖ                ０ｄＢ
Ｆ５                ２１２Ｖ                ０ｄＢ
Ｆ６                ３００Ｖ                ０ｄＢ
Ｆ７                ３００Ｖ                ６ｄＢ
Ｆ８                ３００Ｖ              １２ｄＢ
【００２６】
ただし、この際の増幅率は後述するように撮影スイッチ３７の入力を待って設定される。つまり、撮影光量入力部３６の設定値が、例えばＦ１であることを検知した制御部３２は、撮影光源調光手段３９の内部のコンデンサの印加電圧を５３Ｖに設定し、増幅率変更手段３１の増幅率が０ｄＢであることを記録する。同様に、撮影光量入力部３６の設定値がＦ７であることを検知した場合には、コンデンサの印加電圧を３００Ｖに設定し、増幅率変更手段３１の増幅率が６ｄＢであることを記録する。
【００２７】
観察光量入力部３５により観察用光源１の光量及び増幅率を調整するには、２つのスイッチ３５ａ、３５ｂを操作すると、観察光量表示ＬＥＤ３５ｃは１〜９まで段階的に変化し表示される。この観察光量入力部３５による設定値は、観察光量制御部３２ａによって検知され、この観察光量制御部３２ａは表２に従って、観察用光源１への印加電圧及び増幅率変更手段３１の増幅率を制御する。
【００２８】
表２
観察光量入力部３５      観察光源１への      増幅率変更手段３１
の設定値                印加電圧            の増幅率
１                    ０Ｖ                ０ｄＢ
２                    ２Ｖ                ０ｄＢ
３                    ４Ｖ                ０ｄＢ
４                    ８Ｖ                ０ｄＢ
５                  １６Ｖ                ０ｄＢ
６                  １６Ｖ                ６ｄＢ
７                  １６Ｖ              １２ｄＢ
８                  １６Ｖ              １８ｄＢ
９                  １６Ｖ              ２４ｄＢ
【００２９】
即ち、観察光量入力部３５の目盛りが例えば３を示しているときには、観察用光源１への印加電圧は４Ｖであり、増幅率変更手段３１の増幅率は０ｄＢである。また、観察光量入力部３５の目盛りが５の場合には、印加電圧は１６Ｖ、増幅率は０ｄＢである。更に、観察光量入力部３５の目盛りが７の場合には、印加電圧は１６Ｖのままであり、増幅率は１２ｄＢであり、目盛りが９の場合には、印加電圧は１６Ｖのままであり、増幅率は２４ｄＢである。
【００３０】
このように、観察光量入力部３５を調整し、被検眼Ｅの眼底Ｅｒを適当な明るさで観察しながら、図示しない操作手段を用いて被検眼Ｅとの位置合わせ及び撮影レンズ１１を動かすことによるピント合わせ及び撮影範囲の確認を行う。
【００３１】
カラー撮影を行う場合には、眼底照明光学系では光路長補正ガラス７ｂ、眼底観察撮影系に光路長補正ガラス１０ｂが光路に挿入され、クイックリターンミラー１３は跳ね上がって光路外に退避する。可視光に対する眼底Ｅｒの反射率は高いので、観察光量入力部３５の設定調整範囲は１〜５までに限定され、増幅率の変更は行われない。そして、撮影スイッチ３７への入力を検知した制御部３２は、撮像素子１４の光蓄積を開始し、撮影光源調光手段３９に発光信号を送信し、発光信号を受けた撮影用光源４は撮影光源調光手段３９の内部のコンデンサに蓄えられた電荷により発光する。
【００３２】
撮影用光源４を発した光束は、観察光と同様にリング状開口を有する絞り６の開口を通過し、レンズ８を通り、孔あきミラー９周辺のミラー部により左方に反射され、対物レンズ２を通って被検眼Ｅの瞳孔Ｅｐを介して眼底Ｅｒを照明する。このように照明された眼底Ｅｒの像は、再び対物レンズ２、撮影レンズ１１、結像レンズ１２を通り、撮像素子１４に結像し電気信号に変換される。増幅率変更手段３１はこれらの信号に対しては増幅の処理は行われず、撮影された画像をメモリ３４に記録すると共に、モニタ３３に眼底画像を表示する。
【００３３】
次に、ＩＣＧ撮影を行う場合においては、散瞳剤を点眼し、散瞳した被検眼Ｅを対物レンズ２に向けて被検者を着席させる。そして、ＩＣＧエキサイタフィルタ７ａとＩＣＧ観察用バリアフィルタ１８ｂを光路内に挿入する。
【００３４】
このような構成において、観察用光源１を発した光は上述と同様な光路を通り、ＩＣＧエキサイタフィルタ７ａにより近赤外光のみが眼底Ｅｒを照明する。このように照明された眼底像は、クイックリターンミラー１３により反射され、ＩＣＧ観察用バリアフィルタ１８ｂを透過して撮像素子２０に結像し、電気信号に変換される。これらの電気信号は増幅率変更手段３１に入力され、所定の増幅率に増幅されると共に、この信号による像はモニタ３３に映出される。
【００３５】
ここで、ＩＣＧ観察用バリアフィルタ１８ｂは上述のように透過波長領域が広いので、蛍光が発していなくとも眼底Ｅｒの様子をモニタ３３により観察することが可能である。検者はこのモニタ３３に映った眼底像を観察し、眼底像が見易い明るさになるように観察光量入力部３５を操作する。検者はモニタ３３に映った眼底像を見て、位置合わせ及びピントが良好であることを確認した後に、被検者に蛍光剤を静注し、撮影を開始する。同時に、蛍光剤を静注してからの経過時間を記録するための蛍光タイマをスタートさせ、ＩＣＧ撮影用バリアフィルタ１８ａを光路内に挿入し蛍光像の出現を待つ。
【００３６】
図３に示すように、蛍光輝度は静注後の時間によって変化するので、検者は観察される蛍光像と撮影スイッチ３７により撮影した蛍光像を見て、観察光量入力部３５と撮影光量入力部３６を操作する。
【００３７】
図３は或る撮影例を示しており、蛍光輝度が著しく変化する場合には、観察光量入力部３５を操作し撮影を行い、蛍光輝度が安定し徐々に低下してゆく場合には、撮影光量入力部３６を操作し撮影を行う場合である。なお、区間Ａは不発光撮影モードであり、区間Ｂは発光撮影モードを示している。
【００３８】
このようなＩＣＧ撮影を行う場合には、検者が観察光量入力部３５の設定値を７とし、蛍光像が出現するのを待ち、静注後時間Ｔまでは観察光量入力部３５の設定値を４〜７の間で操作する。時間Ｔで観察光量入力部３５の設定値を８とし、時間Ｔ以降は観察光量入力部３５の設定値を８に固定したまま、撮影光量入力部３６をＦ３〜Ｆ８の間で操作する場合を例に説明する。
【００３９】
図４は観察光量入力部３５の設定値と撮影光量入力部３６の設定値との関係を示しており、増幅率の１８ｄＢ分の撮影光量はＦ３と等価であることを示している。通常では、この増幅率と撮影光量の相関は眼科装置によって異なるが、ここでは増幅率の１８ｄＢ分の撮影光量をＦ３と等価として説明する。
【００４０】
図５は制御部３２の内部処理の動作フローチャート図を示している。この内部処理はＩＣＧ撮影用バリアフィルタ１８ａの光路への挿入と離脱操作と、観察光量入力部３５の設定値又は撮影光量入力部３６の設定値が変更された場合に行われる。
【００４１】
蛍光剤の静注直後は、図５のステップＳ１において、撮影動作判別部３２ｃは不発光撮影モードか発光撮影モードかを判別する。撮影動作の初期値として不発光撮影モードとしているため、ステップＳ２に進みバリアフィルタ検知手段２１により、ＩＣＧ撮影用バリアフィルタ１８ａが挿入されているか否かの判別を行う。この場合に、ＩＣＧ撮影用バリアフィルタ１８ａが光路内に挿入されているため、ステップＳ３に進む。ステップＳ３においては、増幅率が１５ｄＢよりも低いか否かの判断を行うが、観察光量入力部３５の設定値が７であり、表２により増幅率変更手段３１の増幅率は１２ｄＢのため、ステップＳ４に進み不発光撮影モードと判別される。
【００４２】
静注後時間Ｔまでは、観察光量入力部３５の設定値を４〜７の間で操作し、ＩＣＧ撮影用バリアフィルタ１８ａは光路内に挿入されたままになっている。この間に、観察光量制御部３２ａは、表２により増幅率変更手段３１の増幅率を０ｄＢ〜１２ｄＢ、観察光源調光手段３８の観察用光源１への印加電圧を８Ｖ〜１６Ｖの間で制御する。
【００４３】
また、この間に撮影スイッチ３７により撮影を行うと、観察用光源１からの照明光で撮像素子２０に撮像された画像を、増幅率変更手段３１で設定されている増幅率でメモリ３４に記録する。メモリ３４に記録された画像は、観察時にモニタ３３に表示されている眼底像がそのまま記録されていることになる。更に、この間に撮影光量入力部３６を操作しても、不発光撮影モードのままになるので、撮影光量入力部３６の操作によって、観察光量制御部３２ａの設定が変化することはない。
【００４４】
次に、時間Ｔで観察光量入力部３５の設定値を８に設定した場合には、図５のステップＳ１として、撮影動作判別部３２ｃは不発光撮影モードになっているため、ステップＳ２に進む。ステップＳ２では、バリアフィルタ検知手段２１により、ＩＣＧ撮影用バリアフィルタ１８ａが挿入されているか否かの判別を行い、ＩＣＧ撮影用バリアフィルタ１８ａが光路内に挿入されているため、ステップＳ３に進む。ステップＳ３では、増幅率が１５ｄＢよりも低いか否かの判断を行うが、観察光量入力部３５の設定値が８になっているので、表２により増幅率変更手段３１の増幅率は１８ｄＢのため、ステップＳ５に進む。ステップＳ５においては、撮影動作判別部３２ｃにより発光撮影モードと判別され、ステップＳ６に進む。
【００４５】
ステップＳ６においては、撮影光量制御部３２ｄにより撮影初期データ記憶手段３２ｅが読み込まれる。撮影初期データ記憶手段３２ｅは図４に示すＡ→Ｂの矢印に示す通り、撮影光量入力部３６の設定値Ｆ３と同じ設定である。従って、撮影光量制御部３２ｄは撮影光量入力部３６の設定値をＦ３に変更し、表１から撮影光源調光手段３９のコンデンサの印加電圧を１０６Ｖに設定し、撮影時の増幅率変更手段３１の増幅率は０ｄＢとなる。
【００４６】
このステップＳ６での動作は本発明の特徴的な制御であり、ステップＳ６が実行されるより以前に、撮影光量入力部３６に設定されていた値は無視され、この場合は必ずＦ３に設定される。
【００４７】
従来のように、ステップＳ６での制御を行わず、仮に撮影光量入力部３６の設定値がＦ８であったとすると、時間Ｔの直前まで、観察光量入力部３５の設定値が７で記録可能であったにも拘らず、観察光量入力部３５の設定値を８にした瞬間に発光撮影モードになる。そのため、撮影光源調光手段３９のコンデンサの印加電圧を３００Ｖに設定し、撮影時の増幅率変更手段３１の増幅率が１２ｄＢとなるため、コンデンサの印加電圧３００Ｖ分の撮影用光源４からの照明光が増加する。これにより、明らかに光量がオーバとなるので、撮影光量入力部３６の設定を低い値にする必要がある。
【００４８】
仮に、撮影光量入力部３６の設定値がＦ１であったとすると、時間Ｔで発光撮影モードになり、撮影光源調光手段３９のコンデンサの印加電圧を５３Ｖに設定する。撮影時の増幅率変更手段３１の増幅率が０ｄＢとなるため、コンデンサの印加電圧５３Ｖ分の撮影用光源４からの照明光は増加するが、増幅率変更手段３１の増幅率が１２ｄＢ分不足することになり、光量が不足することになる。このため、撮影光量入力部３６の設定を高い値にする必要がある。
【００４９】
このように、不発光撮影モードから発光撮影モードになった場合には、撮影初期データ記憶手段３２ｅを基に、撮影光量制御部３２ｄによって撮影光源調光手段３９のコンデンサの印加電圧及び増幅率変更手段３１が初期設定される。これにより、発光撮影モードでの撮影光量入力部３６の操作性が大きく改善される。
【００５０】
時間Ｔ以降は観察光量入力部３５の設定値は８であり、ＩＣＧ撮影用バリアフィルタ１８ａは光路内に挿入されたままになっており、撮影光量入力部３６の設定値はＦ３〜Ｆ８の間で操作している。このため、制御部３２の内部処理は、図５のステップＳ１の判断により、発光撮影モードとしてステップＳ７に進み、バリアフィルタ検知手段２１により、ＩＣＧ撮影用バリアフィルタが挿入されたか否かの判別を行う。ＩＣＧ撮影用バリアフィルタ１８ａが光路内に挿入されているため、ステップＳ８に進み、撮影光源調光手段３９のコンデンサの印加電圧が１００Ｖよりも低いかどうかの判断を行う。撮影光量入力部３６の設定値はＦ３〜Ｆ８となっているためステップＳ１１に進み、撮影動作判別部３２ｃにより発光撮影モードと判別される。
【００５１】
この間に、撮影スイッチ３７を押して撮影を行うと、観察用光源１からの照明光と、撮影用光源４からの照明光によって撮像素子２０に撮像された画像を、増幅率変更手段３１で設定されている増幅率でメモリ３４に記録する。このメモリ３４に記録された画像は、観察時にモニタ３３に表示されている眼底像とは異なるので、所定時間の間、モニタ３３に表示することで確認を行う。このときの撮影用光源４からの照明光と増幅率変更手段３１で設定されている増幅率は、撮影光量入力部３６の設定値によって決定される。また、静注後の時間経過によって蛍光輝度が低下してくると、撮影光量入力部３６によって撮影光量を上げる必要が生ずる。
【００５２】
また、この間に観察光量入力部３５を操作しても、発光撮影モードのままになるので、観察光量入力部３５の操作によって、撮影光量制御部３２ｄの設定が変化することはない。
【００５３】
この操作例において、時間Ｔ以降は観察光量入力部３５の設定値を８に固定したまま、撮影光量入力部３６をＦ３〜Ｆ８の間で操作する。ＩＣＧ撮影用バリアフィルタ１８ａをＩＣＧ観察用バリアフィルタ１８ｂに変更した場合については、図３の不発光撮影モードの区間Ａと、発光撮影モードの区間Ｂに変更はない。
【実施例２】
【００５４】
次に、実施例２として、図６に示すように蛍光輝度が低い場合に、ＩＣＧ観察用バリアフィルタ１８ｂ又は撮影光量入力部３６を操作し撮影を行い、蛍光輝度が高い場合には、観察光量入力部３５を操作し撮影を行う。
【００５５】
このようなＩＣＧ撮影を行う場合には、検者が観察光量入力部３５を操作し、設定値を９として蛍光像が出現することを待ち、静注後の時間Ｔ１までは撮影光量入力部３６をＦ３〜Ｆ５の間で操作を行う。時間Ｔ１で撮影光量入力部３６の設定値をＦ２とし、時間Ｔ１〜Ｔ２までは観察光量入力部３５の設定値を３〜７の間で操作を行う。時間Ｔ２でＩＣＧ観察用バリアフィルタ１８ｂを光路内に挿入し、時間Ｔ２以降は観察光量入力部３５の設定値を８に固定したまま、撮影光量入力部３６をＦ３〜Ｆ８の間で操作する。この場合には、図３と同様に図６に示す区間Ａは不発光撮影モードであり、区間Ｂは発光撮影モードとなる。
【００５６】
静注直後は、図５のステップＳ１として、撮影動作判別部３２ｃは不発光撮影モードか発光撮影モードかを判別する。撮影動作の初期値として不発光撮影モードとしているため、ステップＳ２に進みバリアフィルタ検知手段２１により、ＩＣＧ撮影用バリアフィルタ１８ａが挿入されたか否かの判別を行う。この場合には、ＩＣＧ撮影用バリアフィルタ１８ａが光路内に挿入されているため、ステップＳ３に進み、増幅率が１５ｄＢよりも低いか否かの判断を行う。観察光量入力部３５の設定値が９であるので、表２により増幅率変更手段３１の増幅率は２４ｄＢのためステップＳ５に進み、撮影動作判別部３２ｃにより発光撮影モードと判別され、ステップＳ６に進む。
【００５７】
ステップＳ６では、撮影光量制御部３２ｄにより、撮影初期データ記憶手段３２ｅが読み込まれる。撮影初期データ記憶手段３２ｅは図４に示すＡ→Ｂの矢印に示す通り、撮影光量入力部３６の設定値Ｆ３と同じ設定である。従って、撮影光量制御部３２ｄは撮影光量入力部３６の設定値Ｆ３に変更し、表１から撮影光源調光手段３９のコンデンサの印加電圧を１０６Ｖに設定し、撮影時の増幅率変更手段３１の増幅率は０ｄＢとなる。
【００５８】
次に、時間Ｔ１で撮影光量入力部３６の設定値をＦ２にしたとき、図５のステップＳ１では、撮影動作判別部３２ｃは発光撮影モードになっている。従って、ステップＳ７に進みバリアフィルタ検知手段２１により、ＩＣＧ撮影用バリアフィルタ１８ａが挿入されたか否かの判別を行う。この場合に、ＩＣＧ撮影用バリアフィルタ１８ａが光路内に挿入されているため、ステップＳ８に進み、コンデンサの印加電圧が１００Ｖよりも低いか否かの判断を行う。撮影光量入力部３６の設定値はＦ２に設定されており、表１からコンデンサの印加電圧が７５Ｖとなっているため、ステップＳ９に進み不発光撮影モードと判別され、ステップＳ１０に進む。
【００５９】
ステップＳ１０においては、撮影光量制御部３２ｄにより観察初期データ記憶手段３２ｂが読み込まれる。観察初期データ記憶手段３２ｂは図４に示すＢ→Ａの矢印に示す通り、観察光量入力部３５の設定値７と同じである。従って、観察光量制御部３２ａは観察光量入力部３５の設定値を７に変更し、表２により増幅率変更手段３１の増幅率を１２ｄＢ、観察光源調光手段３８の観察用光源１への印加電圧を１６Ｖとする。
【００６０】
このステップＳ１０における動作は、ステップＳ６での制御と同様に、本発明の特徴的な制御を示している。ステップＳ１０が実行されるより前に、観察光量入力部３５での設定値９は無視され、必ず７に設定されている。
【００６１】
従来のように、ステップＳ１０での制御を行わない場合に、観察光量入力部３５の設定値は９であるので、時間Ｔ１で不発光撮影モードになり、撮影時の増幅率変更手段３１の増幅率が２４ｄＢのまま撮影を行う。光量がオーバとなると共に、２４ｄＢという大きな増幅率となり画像の劣化が発生するので、観察光量入力部３５の設定を低い値にする必要がある。
【００６２】
このように、発光撮影モードから不発光撮影モードになった場合には、観察初期データ記憶手段３２ｂを基に、観察光量制御部３２ａによって、観察光源調光手段３８の観察用光源１に印加電圧及び増幅率変更手段３１が初期設定される。これにより、不発光撮影モードでの観察光量入力部３５の操作性が改善される。
【００６３】
時間Ｔ１〜Ｔ２までは、観察光量入力部３５の設定値を３〜７の間で操作し、ＩＣＧ撮影用バリアフィルタ１８ａは光路内に挿入されたままになっているため、ステップＳ１〜Ｓ４と進み、不発光撮影モードと判別される。この間に、観察光量制御部３２ａは表２により増幅率変更手段３１の増幅率を０ｄＢ〜１２ｄＢ、観察光源調光手段３８の観察用光源１への印加電圧を４Ｖ〜１６Ｖの間で制御する。
【００６４】
また、この間に撮影スイッチ３７により撮影を行うと、観察用光源１からの照明光で撮像素子２０に撮像された画像を、増幅率変更手段３１で設定されている増幅率でメモリ３４に記録する。このメモリ３４に記録された画像は、観察時にモニタ３３に表示されている眼底像がそのまま記録されていることになる。
【００６５】
時間Ｔ２でＩＣＧ観察用バリアフィルタ１８ｂが光路内に挿入されるため、ステップＳ１〜Ｓ６に進み、発光撮影モードと判別される。時間Ｔ２以降は、ＩＣＧ観察用バリアフィルタ１８ｂが光路内に挿入され、観察光量入力部３５の設定値を８に固定したまま、撮影光量入力部３６をＦ３〜Ｆ８の間で操作しているので、ステップＳ１、Ｓ７、Ｓ１１に進み、発光撮影モードと判別される。
【００６６】
時間Ｔ２でのステップＳ６による制御は実施例１と同様であるため、説明を省略する。また、本実施例２においては観察初期データ記憶手段３２ｂ、撮影初期データ記憶手段３２ｅを値７及びＦ３としたが、これは眼科装置の構成により異なる値となることは云うまでもない。
【００６７】
更に、観察光量入力部３５の設定値を１〜９、撮影光量入力部３６をＦ１〜Ｆ８としているが、更に細かく設定することも可能である。応答性を改善する目的で、観察光量入力部３５のスイッチ３５ａ、３５ｂと、撮影光量入力部３６のスイッチ３６ａ、３６ｂを、ダイアル式のスイッチにすることも考えられる。
【００６８】
以上、本発明の好ましい実施例について説明したが、本発明はこれらの実施例に限定されないことは云うまでもなく、その要旨の範囲内で種々の変形及び変更が可能である。
【図面の簡単な説明】
【００６９】
【図１】眼底カメラの構成図である。
【図２】ブロック回路構成図である。
【図３】眼底の蛍光輝度の時間に対するグラフ図である。
【図４】観察光量入力部の設定値と撮影光量入力部の値との関係の説明図である。
【図５】制御部の動作フローチャート図である。
【図６】実施例２の眼底の蛍光輝度の時間に対するグラフ図である。
【符号の説明】
【００７０】
１  観察用光源
２  対物レンズ
４  撮影用光源
７ａ  ＩＣＧエキサイタフィルタ
９  孔あきミラー
１０ａ  可視蛍光バリアフィルタ
１１  撮影レンズ
１４、２０  撮像素子
１８ａ  ＩＣＧ撮影用バリアフィルタ
１８ｂ  ＩＣＧ観察用バリアフィルタ
２１  バリアフィルタ検知手段
３１  増幅率変更手段
３２  制御部
３３  モニタ
３４  メモリ
３５  観察光量入力部
３６  撮影光量入力部
３７  撮影スイッチ
３８  観察光源調光手段
３９  撮影光源調光手段
【図１】
2007117249.tif 000003
【図２】
2007117249.tif 000004
【図３】
2007117249.tif 000005
【図４】
2007117249.tif 000006
【図５】
2007117249.tif 000007
【図６】
2007117249.tif 000008